(57)【要約】      （修正有）【課題】ボトルの栓体を簡単に脱着できる治具を提供する。【解決手段】ボトルの栓体を脱着するための治具１０であって、筒状の本体１１と、本体の内側に設けられた螺合部１４および係合部１５とを含み、本体をボトルに螺合させて回転することで生じる回転軸方向の力を係合部を介して栓体に伝えることで、栓体の脱着を行う。係合部は、栓体の凹部および／または凸部と係合する環状突起１５１を含む。また係合部は、栓体の凸部と係合する環状溝１５２を含む。【選択図】図２
0003226240.tif 000002
【実用新案登録請求の範囲】
【請求項１】
ボトルの栓体を脱着するための治具であって、筒状の本体と、本体の内側に設けられた螺合部および係合部とを含み、本体をボトルに螺合させて回転することで生じる回転軸方向の力を係合部を介して栓体に伝えることで、栓体の脱着を行うことができる、前記治具。
【請求項２】
係合部が、栓体の凹部および／または凸部と係合する突起を含む、請求項１に記載の治具。
【請求項３】
係合部が、栓体の凸部と係合する溝を含む、請求項１または２に記載の治具。
【請求項４】
筒状の本体が、回転軸に対して平行な切欠きを含み、該切欠きを介して本体をボトルに取り付けることができる、請求項１〜３のいずれか一項に記載の治具。
【請求項５】
筒状の本体が、回転軸に対して平行な面で分割される２以上のパーツで構成される、請求項１〜４のいずれか一項に記載の治具。
【請求項６】
２以上のパーツを回動可能に連結する蝶番をさらに含む、請求項５に記載の治具。
【請求項７】
本体の外側に設けられたグリップ部をさらに含む、請求項１〜６のいずれか一項に記載の治具。
【考案の詳細な説明】
【技術分野】
【０００１】
本考案は、ボトルの栓体を脱着するための治具に関する。
【背景技術】
【０００２】
一般に栓体つきのボトルは、栓体とボトルとを脱着するにあたり、栓体を手で操作することが多いが、この作業の際、栓体への作業者の手の接触により栓体の内側が汚染されたり、作業者の手にボトルの中身である薬品が付着したりする。また、ボトルから外した栓体に関しては、ボトルの内側や口部に接する部分を汚染することなく保持することが難しい。このことは、とりわけ試験研究機関や医療機関などで用いられる薬品等を収容したボトルの栓体においては深刻な問題となり得る。
【０００３】
また、特許文献１は、容器の中蓋の脱着を容易にし、尚且つ外した中蓋を保持しておくことを可能とする中蓋の脱着構造を記載している。
【先行技術文献】
【特許文献】
【０００４】
【特許文献１】特許第４１３４１０５号公報
【考案の概要】
【考案が解決しようとする課題】
【０００５】
本考案の課題は、ボトルの栓体を簡単に脱着するための手段を提供することにある。
【課題を解決するための手段】
【０００６】
上記課題を解決するため、本考案者は、鋭意研究を重ねる中で、栓体の脱着に係る力を効果的に伝える構造を有する治具により上記課題が解消されることを見出し、さらに鋭意研究を重ねた結果、本考案を完成するに至った。
【０００７】
したがって本考案は、以下の治具に関する。
［１］ボトルの栓体を脱着するための治具であって、筒状の本体と、本体の内側に設けられた螺合部および係合部とを含み、本体をボトルに螺合させて回転することで生じる回転軸方向の力を係合部を介して栓体に伝えることで、栓体の脱着を行うことができる、前記治具。
［２］係合部が、栓体の凹部および／または凸部と係合する突起を含む、［１］に記載の治具。
［３］係合部が、栓体の凸部と係合する溝を含む、［１］または［２］に記載の治具。
［４］筒状の本体が、回転軸に対して平行な切欠きを含み、該切欠きを介して本体をボトルに取り付けることができる、［１］〜［３］のいずれか１つに記載の治具。
［５］筒状の本体が、回転軸に対して平行な面で分割される２以上のパーツで構成される、［１］〜［４］のいずれか１つに記載の治具。
［６］２以上のパーツを回動可能に連結する蝶番をさらに含む、［５］に記載の治具。
［７］本体の外側に設けられたグリップ部をさらに含む、［１］〜［６］のいずれか１つに記載の治具。
【考案の効果】
【０００８】
本考案によれば、螺合部の回転により生じる回転軸方向の力を係合部を介して栓体に伝えることで栓体の脱着ができる。筒状の本体で栓体を覆いながら脱着をすることで栓体の汚染を防止でき、栓体に付着した内容物等の飛散が回避される。
【図面の簡単な説明】
【０００９】
【図１】図１は、治具を使用するボトルおよび栓体の一態様を示す図である。
【図２】図２は、本考案による治具の一態様を示す図である。
【考案を実施するための形態】
【００１０】
以下、本考案の治具について図面に基づき説明するが、本考案はこれらに限定されるものではない。また、各図において、説明を容易とするため、各部材の大きさは、適宜強調されている場合があり、図示の各部材は、必ずしも実際の大きさ、比率を示すものではない。
【００１１】
以下、本考案の治具を使用するボトルの一態様を説明する。図１（Ａ）に示されるように、ボトル２０は、本体２１と、本体２１の上部に設けられた首部２２と、首部２２の上端に位置する口部２３を有し、首部２２の周囲には螺合部２４が設けられている。ボトル２０に取り付けられる栓体３０は、基部３１と天板部３２を有する。
【００１２】
天板部３２は基部３１より径が大きく、外側に張り出すことで凸部３３を構成し、基部３１は凹部３４を構成する。図１（Ｂ）に示されるように、栓体３０をボトル２０に挿入すると基部３１が首部２２の内側に密着し、天板部３２の下面が口部２３を覆う。
【００１３】
以下、本考案の治具の一態様を説明する。図２（Ａ）に示されるように、治具１０は筒状の本体１１の内側に互いに隣接して設けられた螺合部１４と係合部１５とを有し、螺合部１４はボトル２０の螺合部２４に螺合し、係合部１５は栓体３０に係合できるように構成されている。係合部１５は、突起（環状突起１５１）および／または溝（環状溝１５２）を含むことができる。
【００１４】
治具１０をボトル２０に装着して回転させて生じる回転軸方向（上下方向）の力を係合部１５を介して栓体３０に伝えることでボトル２０と栓体３０との脱着が達成される。治具１０は、ＡＢＳ樹脂やＰＬＡ樹脂などの剛性を有する材料で作成することができる。
【００１５】
栓体は、たとえば、環状の溝１５２を栓体３０の凸部（天板部３２、凸部３３）に嵌合（係合）させる、および／または、天板部３２の外径よりも小さな内径を有する環状の突起１５１を栓体３０の凹部（基部３１、凹部３４、天板部３２の下面）に当接（係合）させることで、栓体に回転軸方向の力を伝えて脱着することもできる。
【００１６】
本考案において、筒状とは、中空の円筒形状または中空の円筒の一部が切り取られた形状をいう。治具１０の本体は、円筒の一部を回転軸に平行な面で切り取る（切欠き）ことで、ボトル２０に水平方向から取り付けることもできる。図２（Ａ）のように、本体は円筒を回転軸に平行な面で２つに分割した（１８０度切り欠き）第１パーツ１２と第２パーツ１３とで構成してもよい。
【００１７】
そして、これらを蝶番１７で回動可能に連結し、首部２２と栓体３０とを挟持するように取り付けると、栓体３０が筒状の本体１１の内側に保持され、不用意な落下や汚染、栓体３０に付着した内容物の飛散を防止できる。
【００１８】
本体１１には、グリップ部１８として周方向に沿って凹凸を設けることができる。作業者はグリップ部１８に指をかけて、本体１１を的確に握持して力を加えることができる。図２（Ａ）のように蝶番１７と反対側のグリップ部１８を大きく突出させ、治具１０の開閉時のつまみとして機能させることで、栓体３０の強固な挟持を達成することができる。
【００１９】
ボトル２０が、高純度の試薬類を収容するＰＦＡ容器である場合、一般的に栓体がボトルに圧入されるように寸法決めされているため、栓体３０の脱着に力を要する。したがって、図１（Ｂ）に示されるように、口部２３上に天板部３２の径より小さい径を有するスペーサー２５を設け、より張り出した部分（凸部３３）に指を掛け易いように構成されている。本考案の環状突起１５１は、スペーサー２５（凹部）に入り込むことができる。
【００２０】
以上の記述から明らかなように、本考案の治具には種々の態様による実現が考えられるが、上記に限定されない。治具の係合部（突起、溝）は、栓体の凹部、凸部と係合して回転軸方向の力が伝われば、どのような形状でも組み合わせでもよい。
【産業上の利用可能性】
【００２１】
本考案によれば、治具を螺合回転させて生じる回転軸方向の力を栓体に効果的に伝えることで栓体の脱着ができ栓体の汚染防止、作業の安全性が確保できる。
【符号の説明】
【００２２】
１０    治具
１１    本体
１２  第１パーツ
１３  第２パーツ
１４    螺合部
１５    係合部
１５１  環状突起
１５２  環状溝
１６    切欠き
１７    蝶番
１８    グリップ部
【００２３】
２０    ボトル
２１    本体
２２    首部
２３    口部
２４    螺合部
２５    スペーサー
３０    栓体
３１    基部
３２    天板部
３３    凸部
３４    凹部
【図１】
0003226240.tif 000003
【図２】
0003226240.tif 000004